(57)【要約】  本発明は，人体の爪から付け爪を取り外す際に，付け爪の根元部に加わる負荷を軽減し，付け爪の破損を抑制できる爪の構造とその製造方法を提供することを目的とする。  上記課題は，付け爪本体（１１０）と，前記付け爪本体（１１０）の裏面であって人体の爪に対向する面に形成された粘着剤層（１２０）とを備え，前記粘着剤層（１２０）は，人体の爪に対向する面のうち，前記人体の爪の根元部（１１０ａ）の面における粘着力が，前記人体の爪の根元部（１１０ａ）以外の面における粘着力よりも小さくなるように形成された付け爪（１００）の構造によって，解決される。
2010119694.tif 000002
【特許請求の範囲】
【請求項１】
付け爪本体（１１０）と，
前記付け爪本体（１１０）の裏面であって人体の爪に対向する面に形成された粘着剤層（１２０）とを備え，
前記粘着剤層は，前記人体の爪に対向する面のうち，前記付け爪本体の根元部（１１０ａ）の面における粘着力が，前記付け爪本体の根元部（１１０ａ）以外の面における粘着力よりも小さくなるように形成された，付け爪。
【請求項２】
前記粘着剤層（１２０）は，前記人体の爪に対向する面のうち，前記付け爪本体の根元部（１１０ａ）以外の面に形成され，前記付け爪本体の根元部（１１０ａ）の面に形成されていない請求項１に記載の付け爪。
【請求項３】
前記付け爪本体の根元部（１１０ａ）における粘着剤層（１２０）のうち，前記付け爪本体の先端部（１１０ｂ）側の一端は，前記付け爪本体の先端部（１１０ｂ）側に凸となる曲面である請求項２に記載の付け爪。
【請求項４】
前記付け爪本体の根元部（１１０ａ）の厚みは，前記根元部（１１０ａ）以外の厚みよりも薄い請求項１に記載の付け爪。
【請求項５】
前記粘着剤層（１２０）は，第１の粘着剤層（１２１）と第２の粘着剤層（１２２）とを含み，
前記第２の粘着剤層（１２２）は，前記付け爪本体の根元部（１１０ａ）の面に設けられ，
前記第１の粘着剤層（１２１）は，前記第２の粘着剤層（１２２）よりも粘着力が強く，これにより，前記粘着剤層は，前記人体の爪に対向する面のうち，前記付け爪本体の根元部（１１０ａ）の面における粘着力が，前記付け爪本体の根元部（１１０ａ）以外の面における粘着力よりも小さくなる，
請求項１に記載の付け爪。
【請求項６】
人体の爪に対応するように付け爪本体を形成するステップと，
前記付け爪本体の裏面であって人体の爪に対向する面に粘着剤層（１２０）を形成するステップとを含み，
前記粘着剤層を形成するステップは，人体の爪に対向する面のうち，前記付け爪本体の根元部（１１０ａ）の面における粘着力が，前記付け爪本体の根元部（１１０ａ）以外の面における粘着力よりも小さくなるように，前記粘着剤層（１２０）を形成する付け爪の製造方法。
【請求項７】
前記粘着剤層を形成するステップは，前記人体の爪に対向する面のうち，前記付け爪本体の根元部（１１０ａ）以外の面に前記粘着剤層（１２０）を形成し，前記付け爪本体の根元部（１１０ａ）の面に前記粘着剤層（１２０）を形成しない請求項６に記載の付け爪の製造方法。
【請求項８】
前記粘着剤層（１２０）は，アクリル樹脂又はメタクリル樹脂を主成分とする層であり，アクリル樹脂又はメタクリル樹脂を１０重量％以上４０重量％以下有する溶液を前記粘着剤層（１２０）に塗布する工程をさらに含む，請求項６に記載の付け爪の製造方法。
【請求項９】
前記粘着剤層（１２０）は，下記式で示される樹脂を主成分とする層であり，下記式で示される化合物を１０重量％以上４０重量％以下有する溶液を前記粘着剤層（１２０）に塗布する工程をさらに含む，請求項６に記載の付け爪の製造方法。
【化３】
2010119694.tif 000005
（上記の式において，ｍ及びｎは１以上１０００以下の整数であり，Ｒ１は炭素数が１〜１０の直鎖アルキル基を示す。）
【発明の詳細な説明】
【技術分野】
【０００１】
本発明は，使用者が自由に着脱できる付け爪と，その製造方法に関するものである。
【背景技術】
【０００２】
近年，爪の装飾や保護のため，付け爪が広く使用されている。図４に，付け爪の外観の例を示す。このように付け爪は，審美性に優れ，観る者を魅了する魅力があるものである。【０００３】
特許文献１および特許文献２には，付け爪の裏面に粘着剤層が形成された付け爪が開示されている。
【先行技術文献】
【特許文献】
【０００４】
【特許文献１】特許３７２５６４９号
【特許文献２】特許３８８６５７８号
【発明の概要】
【発明が解決しようとする課題】
【０００５】
人体の爪から付け爪を取り外すとき，通常，付け爪の先端部をつまんで付け爪を爪から引き剥がす。この際に付け爪の根元部分に負荷が加わる。このため，付け爪の根元部にひび割れや欠損が生じることがあった。一方，近年，付け爪のフィット感を高めるために，付け爪の根元部の厚みを根元部以外と比較して薄くする傾向がある。このため，付け爪の根元部が破損する可能性がより高くなる。【０００６】
本発明は，人体の爪から付け爪を取り外す際に，付け爪の根元部に加わる負荷を軽減し，付け爪が破損することを防止できる付け爪とその製造方法を提供することを目的とする。
【課題を解決するための手段】
【０００７】
本発明における付け爪は，付け爪本体１１０と，付け爪本体１１０の裏面であって人体の爪に対向する面に形成された粘着剤層１２０とを備えるものに関する。粘着剤層１２０は，人体の爪に対向する面のうち，付け爪本体の根元部１１０ａの面における粘着力が，付け爪本体の根元部１１０ａ以外の面における粘着力よりも小さくなるように形成されたことを特徴とする。【０００８】
この構成により，付け爪本体の根元部１１０ａの領域に対応した粘着剤層１２０を爪から引き離すための力を，上記根元部１１０ａ以外の領域に対応した粘着剤層１２０を爪から引き離すための力よりも，小さくすることができる。これにより，人体の爪から付け爪を取り外す際に，付け爪を人体の爪の根元部１１０ａから簡単に引き離すことができる。この結果，人体の爪から付け爪を取り外す際に，付け爪の根元部に加わる負荷を軽減し，付け爪の破損を抑制できる。【０００９】
本発明の付け爪のある例では，粘着剤層が，人体の爪に対向する面のうち，付け爪本体の根元部１１０ａ以外の面に形成され，付け爪本体の根元部１１０ａの面に形成されていない。【００１０】
この構成により，付け爪本体の根元部１１０ａの領域に対応した粘着剤層１２０の粘着力を，０（ゼロ）にすることができる。これにより，人体の爪から付け爪を取り外す際に，付け爪を人体の爪の根元部から極めて簡単に引き離すことができる。この結果，人体の爪から付け爪を取り外す際に，付け爪の根元部に加わる負荷を更に軽減し，付け爪の破損を更に抑制できる。【００１１】
本発明における付け爪の例は，付け爪本体の根元部１１０ａにおける粘着剤層１２０のうち，付け爪本体の先端部１１０ｂ側の一端は，付け爪本体の先端部１１０ｂ側に凸となる曲面となるものである。これにより，上記付け爪本体の根元部１１０ａにおける粘着剤層１２０の端部形状を爪半月（キューティクル部分）の形状に対応させることができる。付け爪本体の根元部１１０ａの一端が上述のような曲線であるので，付け爪を爪から取り外す際に付け爪の端部に加わる負荷を分散することができる。この結果，人体の爪から付け爪を取り外す際に，付け爪の根元部に加わる負荷を更に軽減し，付け爪の破損を効果的に抑制できる。【００１２】
本発明における付け爪の例は，付け爪本体の根元部１１０ａの厚みが，根元部１１０ａ以外の厚みよりも薄いものである。近年，付け爪のフィット感を高めるために，付け爪の根元部の厚みを根元部以外と比較して薄くする傾向がある。このため，人体の爪から付け爪を取り外す際に，付け爪の根元部が特に破損しやすかった。本発明では，上記の通り，付け爪本体の根元部１１０ａの領域に対応した粘着剤層１２０の粘着力を，上記根元部以外の領域に対応した粘着剤層１２０の粘着力よりも小さくしている。このため，付け爪本体の根元部１１０ａの厚みが根元部１１０ａ以外の厚みよりも薄くなった場合であっても，付け爪の根元部に加わる負荷を軽減し，付け爪の破損を抑制できる。【００１３】
本発明における付け爪の製造方法は，人体の爪に対応するように付け爪本体１１０を形成するステップと，付け爪本体１１０の裏面であって人体の爪に対向する面に粘着剤層１２０を形成するステップとを含み，粘着剤層１２０を形成するステップでは，人体の爪に対向する面のうち，付け爪本体の根元部１１０ａの面における粘着力が，付け爪本体の根元部１１０ａ以外の面における粘着力よりも小さくなるように，粘着剤層１２０を形成するものである。この製造方法によっても，上述した本発明の効果を得ることができる。【００１４】
また，本発明における付け爪の製造方法の例は，粘着剤層１２０を形成するステップでは，人体の爪に対向する面のうち，付け爪本体の根元部１１０ａ以外の面に粘着剤層１２０を形成し，付け爪本体の根元部１１０ａの面に粘着剤層１２０を形成しないものである。この製造方法によっても，上述した本発明の効果を得ることができる。【００１５】
また，本発明における付け爪の製造方法の例は，粘着剤層１２０は，アクリル樹脂またはメタクリル樹脂を主成分とする層であり，前記粘着剤層１２０の成分を１０重量％以上４０重量％以下有する溶液を前記粘着剤層１２０に塗布する工程をさらに含む。粘着剤層の粘着力が弱まった場合や，上記の溶液を塗布することで，粘着力を回復できる。【００１６】
また，本発明における付け爪の製造方法の例は，粘着剤層１２０は，下記式で示される樹脂を主成分とする層であり，下記式で示される化合物を１０重量％以上４０重量％以下有する溶液を前記粘着剤層１２０に塗布する工程をさらに含む。粘着剤層の粘着力が弱まった場合や，上記の溶液を塗布することで，粘着力を回復できる。
【化１】
2010119694.tif 000003
（上記の式において，ｍ及びｎは１以上１０００以下の整数であり，Ｒ１は炭素数が１〜１０の直鎖アルキル基を示す。）
【００１７】
なお，本発明は，上記した各構成に限定されない。すなわち，以下の実施形態の説明の通り，上記の各構成に含まれる構成要素を，それぞれが属する構成を超えて組み合わせることもできる。
【発明の効果】
【００１８】
本発明は，人体の爪から付け爪を取り外す際に，付け爪の根元部に加わる負荷を軽減し，付け爪の破損を抑制できる爪とその製造方法を提供できる。
【発明を実施するための形態】
【００１９】
本発明の実施の形態１．
以下に本発明の実施の形態１における付け爪を，図に基づいて説明する。以下の付け爪は本発明の実施の形態の例であって，本発明は当業者に自明な範囲で適宜修正を加えたものも含む。図１は，本発明の付け爪の構成を示す。図１（ａ）は付け爪の裏面図，図１（ｂ）は図１（ａ）のＡ−Ａ’切断面を示す図である。なお，以下の図では手の付け爪を中心に説明した。しかしながら，本発明の付け爪は，足の指の付け爪でもよい。また，本発明の付け爪は，ヒトのみならず動物の付け爪であっても良い。
【００２０】
付け爪１００は，付け爪本体１１０と，粘着剤層１２０とを備える。付け爪本体１１０は，左右１０本の指のいずれかの爪形状に略対応するように，長さ，幅および曲面が設定されている。付け爪本体１１０は，ある１本の爪に対応したものであっても良い。特にある１本に対応した付け爪の場合は，どの指の付け爪であっても良いが，親指，薬指又は小指の付け爪であってもよい。なお，図１（ａ）および図１（ｂ）では，便宜上，１つの付け爪１００のみを図示している。付け爪本体１１０の長さは，人体の爪よりも長くなるように設定されている。ここでは，付け爪１００の長手方向（図１（ａ）の上下方向）の大きさを長さとし，短手方向（図１（ａ）の左右方向）の大きさを幅とする。
【００２１】
また，付け爪本体１１０の長手方向の下部（図１（ａ）の下側）を，付け爪本体の根元部１１０ａとし，付け爪本体１１０の長手方向の上部（図１（ａ）の上側）を，付け爪本体の先端部１１０ｂとする。また，図１（ｂ）に示されるように，付け爪本体１１０の根元部１１０ａの厚みは，上記根元部１１０ａ以外の厚みよりも薄くなるように形成される。これにより，付け爪１００を人体の爪に付けた際に，付け爪１００のフィット感を高めることができる。
【００２２】
付け爪本体１１０の材料には，例えば合成樹脂が用いられる。合成樹脂として，例えばポリエチレン，ポリプロピレン，ＡＢＳ，ＡＥＳ，ＥＶＡ，ＥＥＡ等が便宜用いられる。付け爪本体１１０は，これらの合成樹脂を用いて，射出成型することにより形成される。なお，付け爪本体１１０の表面には，例えばマニキュアの色として好ましい色に着色したり，つやのある素材等と用いて模様を形成したり，便宜の飾りが施されてもよい。
【００２３】
粘着剤層１２０は，付け爪本体１１０の裏面に形成される。また，図１（ａ）および図１（ｂ）に示されるように，粘着剤層１２０のある例は，人体の爪に対向する面のうち，付け爪本体の根元部１１０ａ以外の面にのみ形成され，付け爪本体の根元部１１０ａの面には形成されていない。これにより，人体の爪に対向する面において，付け爪本体の根元部１１０ａの領域に対応した粘着剤層１２０の粘着力を，付け爪本体の根元部１１０ａ以外の領域に対応した粘着剤層１２０の粘着力よりも，小さくすることができる。人体の爪に対向する面とは，付け爪が人体の爪を覆う部分を意味する。特に図示しないが，付け爪は，付け爪本体の根元部１１０ａの外周に沿うように粘着剤層１２０が形成されていないものであってもよい。また，付け爪は，付け爪本体の根元部１１０ａの外周を弧とした場合に，弦を描くように粘着剤層１２０がないもの（すなわち，粘着剤層１２０がない部分が弓状であり，粘着剤層１２０がない部分と粘着剤層１２０がある部分の境目が割線を形成するもの）であってもよい。粘着剤層１２０がない部分が余りに大きいと，付け爪自体の粘着力を保てない。このため，付け爪本体の根元部１１０ａの面における粘着剤層１２０がない部分の面積は，付け爪本体裏面の面積の０．５％以上３０％以下があげられ，１％以上２０％以下でもよく，２％以上１５％以下でもよい。
【００２４】
粘着剤層１２０の材料の例は，水溶性，溶剤性，ホットメルト性等の各種市販されている粘着剤である。粘着剤として，例えばオリバインＢＰＳ１１０９（東洋インキ製造（株）製），ザイビノールＡＴ−５００，ＡＴ−１８１（サイデン（株）製）等を便宜用いる。粘着剤層１２０は，例えば刷毛塗り法，スプレー法，スクリーン法等の方法によって，これらの粘着剤を塗布することにより形成される。
【００２５】
また，本発明における粘着剤層１２０の上記とは別の例は，アクリル樹脂又はメタクリル樹脂を主成分とするものである。この層において，アクリル樹脂又はメタクリル樹脂は，他の樹脂との共重合体として存在してもよい。共重合体の例は，酢酸ビニル・アクリル酸共重合体，又はエチレン・酢酸ビニル・アクリル酸共重合体である。ビニル・アクリル酸共重合体において，ビニル基由来の成分とアクリル酸由来の成分との分子比の例は，３：１以上１：３以下であり，２：１以上１：２以下でもよい。
【００２６】
粘着剤層１２０の例は，下記に示す化合物を主成分として有するものである。
【化２】
2010119694.tif 000004
【００２７】
上記の式において，ｍ及びｎは１以上１０００以下の整数である。ｍ及びｎは同一でも異なってもよく，５以上５００以下でもよく，１０以上５００以下でもよく，１５以上１００以下でもよい。Ｒ１は炭素数が１〜１０の直鎖アルキル基を示す。炭素数が１〜１０の直鎖アルキル基の例は，メチル基，エチル基，プロピル基，及びブチル基である。
【００２８】
本発明における付け爪の製造方法の例は，粘着剤層１２０は，アクリル樹脂またはメタクリル樹脂を主成分とする層であり，前記粘着剤層１２０の成分を１０重量％以上４０重量％以下有する溶液を粘着剤層１２０に塗布する工程をさらに含む。粘着剤層の粘着力が弱まった場合や，上記の溶液を塗布することで，粘着力を回復でききる。この粘着剤層１２０は，アクリル樹脂又はメタクリル樹脂を主成分とするほかは，公知の副素材を適宜含有してもよい。アクリル樹脂又はメタクリル樹脂は，他の化合物との共重合体であってもよい。そのような共重合体の例は，上記した化学式で示される樹脂である。この粘着剤層は，復活剤により粘着性が復活し，再度付け爪を製造（再生）できるため，好ましい。この復活剤の例は，粘着剤層１２０の成分を１０重量％以上４０重量％以下含有する溶液である。この復活剤は，たとえば，水に粘着剤層１２０を溶解させて製造できる。また，復活剤は，粘着剤層１２０のうち，アクリル樹脂又はメタクリル樹脂を１０重量％以上４０重量％以下含有する溶液であってもよい。具体的な組成は，上記した共重合体を１０重量％以上４０重量％以下含有するものである。そして，接着剤層１２０又はアクリル樹脂又はメタクリル樹脂の含有量は，２０重量％以上３５重量％以下でもよい。溶媒の例は，蒸留水などの水，またはアルコールである。アルコールの例は，イソプロピルアルコールである。共重合体及び溶媒以外の成分として，酢酸ビニルが含まれていてもよい。アルコールの含有量は，０重量％以上０．５重量％以下があげられる。粘着剤層の粘着力が弱まった場合や，粘着層に異物が付着した場合は，上記の溶液を塗布することで，粘着力を回復でき，異物を効果的に除去できる。この復活剤は，刷毛を用いて１〜２度塗布することにより，粘着剤層の粘着性を復活できる。なお，粘着剤層を形成した後に，あえて復活剤を塗布しておくことが好ましい。すると，粘着剤層の粘着性が落ちた際に，復活剤によりきわめて良好に粘着性が回復する。復活剤の例は，酢酸ビニル重合体水性エマルジョン，アクリル酸エステル共重合水性エマルジョン又はエチレン・酢酸ビニル・アクリル酸共重合水性エマルジョンである。
【００２９】
図２は，本発明の付け爪の使用例を説明するための図である。図２（ａ）は人体の指の一部を示す図，図２（ｂ）は本発明の付け爪を人体の爪に取り付けた状態を示す概略断面図である。
【００３０】
図２（ａ）に示されるように，人体の指３００の先端には，爪３１０があり，爪３１０の根元部には爪半月（キューティクル部分）３１０ａがある。本発明の付け爪１００では，好ましくは，付け爪本体の根元部１１０ａにおける粘着剤層１２０のうち，付け爪本体の先端部１１０ｂ側の一端を，付け爪本体１００の先端部１１０ｂ側に凸となる曲面とするとよい。これにより，上記付け爪本体の根元部１１０ａ側における粘着剤層１２０の端部形状を爪半月の形状に対応させることができる。このようにすることで，粘着剤層１２０がない部分を，キューティクルのように見せることができ，付け爪の審美性を高めることができる。粘着剤層１２０と粘着剤層１２０がない部分との境目の弧の形状としたとき，弧の両端を結ぶ直線から最も距離の離れた弧上の点までの距離として，０．１ｍｍ以上５ｍｍ以下があげられ，０．２ｍｍ以上３ｍｍ以下でもよく，０．３ｍｍ以上２ｍｍ以下でもよい。
【００３１】
また，付け爪本体の粘着剤層１２０の形状を，付け爪本体の先端部１１０ｂ側が付け爪本体１００の先端部１１０ｂ側に凸となる曲面とするとこで，付け爪１００を爪３１０から取り外す際に付け爪の根本部１１０ａに加わる負荷を分散することができる。通常は，付け爪１００を爪３１０からから取り外す場合，付け爪本体の先端部１１０ｂをつまんで，付け爪本体の先端部１１０ｂを付け爪本体の根元部１１０ａ側を中心にして爪３１０から離れる方向に移動させる。このとき，付け爪本体の根元部１１０ａに相当の負荷が加わり，付け爪本体の根元部１１０ａ側にも相当の負荷が加わる。付け爪本体の根元部１１０ａの粘着剤層を上述のような曲面とすることで，付け爪本体の根元部１１０ａ側に加わる負荷を，分散することができる。
【００３２】
次に，本発明の実施の形態１における付け爪１００の製造方法について説明する。まず，人体の爪に対応するように付け爪本体１１０を形成する（ステップ１）。ここでは，上述したように，左右１０本の指の爪形状に略対応するように，長さ，幅および曲面が設定して，上述の合成樹脂を用いて射出成形して，付け爪１００を形成する。
【００３３】
次に，付け爪本体１１０の裏面に粘着剤層１２０を形成する（ステップ２）。ここでは，上述の通り，例えば刷毛塗り法，スプレー法，スクリーン法等の方法によって，上述の粘着剤を塗布することにより，粘着剤層１２０を形成する。ここで，付け爪本体１１０の裏面であって人体の爪に対向する面のうち，付け爪本体の根元部１１０ａ以外の面に粘着剤層１２０を形成し，付け爪本体の根元部１１０ａの面に粘着剤層１２０を形成しない。
【００３４】
以上の通り，本発明の実施の形態１における付け爪１００の構造では，粘着剤層１２０は，付け爪本体１１０の裏面であって人体の爪に対向する面のうち，付け爪本体の根元部１１０ａ以外の面に形成され，付け爪本体の根元部１１０ａの面に形成されていない。
【００３５】
この構成により，付け爪本体の根元部１１０ａの領域における粘着剤層１２０を爪から引き離すための力を，上記根元部１１０ａ以外の領域における粘着剤層１２０を爪から引き離すための力よりも，小さくすることができる。特に，粘着剤層１２０は付け爪本体の根元部１１０ａの面に形成されていないので，付け爪本体の根元部１１０ａの領域に対応した粘着剤層１２０の粘着力を，０（ゼロ）にすることができる。これにより，人体の爪から付け爪を取り外す際に，付け爪を人体の爪の根元部から極めて簡単に引き離すことができる。この結果，人体の爪から付け爪を取り外す際に，付け爪の根元部に加わる負荷を確実に軽減し，付け爪の破損を確実に抑制できる。
【００３６】
また，本発明では，付け爪本体の根元部１１０ａにおける粘着剤層１２０のうち，付け爪本体の先端部１１０ｂ側の一端は，付け爪本体の先端部１１０ｂ側に凸となる曲線である。これにより，付け爪本体の根元部１１０ａにおける粘着剤層１２０の端部形状を爪半月の形状に対応させることができる。
【００３７】
また，この実施態様の付け爪は，付け爪本体の根元部１１０ａの厚みは，上記根元部１１０ａ以外の厚みよりも薄い。近年，付け爪のフィット感を高めるために，付け爪の根元部１１０ａの厚みを上記根元部１１０ａ以外の厚みと比較して薄くする傾向がある。このため，人体の爪から付け爪を取り外す際に，付け爪の根元部が特に破損しやすかった。本発明では，上記の通り，付け爪本体の根元部１１０ａの領域に対応した粘着剤層１２０の粘着力を，上記根元部１１０ａ以外の領域に対応した粘着剤層１２０の粘着力よりも小さくしている。このため，付け爪本体の根元部１１０ａの厚みが根元部１１０ａ以外の厚みよりも薄くなった場合でも，付け爪の根元部に加わる負荷を軽減し，付け爪の破損を抑制できる。
【００３８】
本発明の実施の形態２．
以下に本発明の実施の形態における付け爪を，図に基づいて説明する。
図２は，本発明の付け爪の構成を示す。図３（ａ）は付け爪の裏面図，図３（ｂ）は図３（ａ）のＢ−Ｂ’切断面を示す図である。
【００３９】
本発明の実施の形態２における付け爪２００は，付け爪本体１１０と，粘着剤層１２０ａを備えている。粘着剤層１２０ａは，第１の実施の形態の付け爪１００と同様に，付け爪本体１１０の裏面に形成されている。
【００４０】
ここで，第１の実施の形態における付け爪１００と，第２の実施の形態における付け爪２００とを比較すると，粘着剤層１２０，１２０ａの形状で異なる。すなわち，第１の実施の形態における付け爪１００では，粘着剤層１２０は，付け爪本体の根元部１１０ａの面には形成されていない。これに対して，第２の実施の形態における付け爪２００では，粘着剤層１２０ａは，付け爪本体の根元部１１０ａの面にも形成されている。
【００４１】
図３（ａ）および図３（ｂ）に示されるように，粘着剤層１２０ａは，第１の粘着剤層１２１と第２の粘着剤層１２２とからなる。第１の粘着剤層１２１は，付け爪本体１００の裏面であって人体の爪に対向する面のうち，付け爪本体の根元部１１０ａ以外の面に形成されている。第２の粘着剤層１２２は，付け爪本体１００の裏面であって人体の爪に対向する面のうち，付け爪本体の根元部１１０ａの面に形成されている。すなわち，第２の粘着剤層１２２は，本発明の実施の形態１における粘着剤層が設けられていない部分に対応した部分に設けられる。
【００４２】
本実施形態では，各粘着剤層１２１，１２２の粘着力に差を設けた。すなわち，第２の粘着剤層１２２の粘着力が，第１の粘着剤層１２１の粘着力よりも小さい。第１の粘着剤層１２１の粘着力は，第２の粘着剤層１２２の粘着力に比べて１．２倍以上であることが好ましい。また，この粘着力の比が１．５倍以上であればより好ましく，２倍以上であるとさらに好ましい。粘着力は，たとえば，ＪＩＳ  Ｚ  ０２３７に準拠した１８０度剥離試験によって測定できる。
【００４３】
次に，本発明の実施の形態２における付け爪２００の製造方法について，図に基づいて説明する。まず，人体の爪に対応するように付け爪本体１１０を形成する（ステップ１）。ステップ１については，第１の実施の形態と同様である。
【００４４】
次に，付け爪本体１１０の裏面に粘着剤層１２０ａを形成する（ステップ２）。粘着剤層１２０ａを形成は，第１の実施の形態と同様に，例えば刷毛塗り法，スプレー法，スクリーン法等の方法によって，上述の粘着剤を塗布することにより行われる。このとき，第２の粘着剤層１２２の粘着力が，第１の粘着剤層１２１の粘着力よりも小さくなるように，２種類の粘着剤を用いて粘着剤層１２０ａを形成する。
【００４５】
以上の通り，本発明の第２の実施の形態における付け爪２００では，粘着剤層１２０ａにおいて，付け爪本体１１０の裏面であって人体の爪に対向する面のうち，付け爪本体の根元部１１０ａの面における粘着力が，付け爪本体の根元部１１０ａ以外の面における粘着力よりも小さくなるように形成されている。
【００４６】
この構成により，付け爪本体の根元部１１０ａの領域に対応した粘着剤層１２０を爪から引き離すための力を，上記根元部１１０ａ以外の領域に対応した粘着剤層１２０を爪から引き離すための力よりも，小さくすることができる。これにより，人体の爪から付け爪を取り外す際に，付け爪を人体の爪の根元部１１０ａから簡単に引き離すことができる。この結果，人体の爪から付け爪を取り外す際に，付け爪の根元部に加わる負荷を軽減し，付け爪の破損を抑制できる。
【００４７】
以上，本発明の実施の形態を例示により説明したが，本発明の範囲はこれらに限定されるものではなく，請求項に記載された範囲内において目的に応じて変更または変形することが可能である。
【産業上の利用可能性】
【００４８】
本発明は，使用者が自由に着脱できる付け爪と，その製造方法に関する技術分野において利用されうる。
【図面の簡単な説明】
【００４９】
【図１】図１は本発明の実施の形態１における付け爪を示す図である。図１（ａ）は付け爪の裏面図，図１（ｂ）は図１（ａ）のＡ−Ａ切断面図である。
【図２】図２は，本発明の付け爪の使用例を説明するための図である。図２（ａ）は人体の指の一部を示す図，図２（ｂ）は本発明の付け爪を人体の爪に取り付けた状態を示す概略断面図である。
【図３】図３は本発明の実施の形態２における付け爪を示す図である。図３（ａ）は付け爪の裏面図，図３（ｂ）は図３（ａ）のＢ−Ｂ’切断面図である。
【図４】図４は，付け爪の外観の例を示す図面に替わる写真である。
【符号の説明】
【００５０】
１００，２００  付け爪
１１０  付け爪本体
１１０ａ  付け爪本体の根元部
１２０，１２０ａ  粘着剤層
１２１  第１の粘着剤層
１２２  第２の粘着剤層
３００  指
３１０  爪
３１０ａ  爪半月
【図１】
2010119694.tif 000006
【図２】
2010119694.tif 000007
【図３】
2010119694.tif 000008
【図４】
2010119694.tif 000009
【国際調査報告】
2010119694.tif 000010
2010119694.tif 000011
2010119694.tif 000012
2010119694.tif 000013
2010119694.tif 000014
2010119694.tif 000015
2010119694.tif 000016
2010119694.tif 000017